(57)【特許請求の範囲】
【請求項１】
小動物を捕獲するための捕獲器であって、
底面、及び前記底面から延びる側面を有するとともに、前記小動物の侵入口が形成された本体と、
前記底面において、前記侵入口との間に非粘着面を介在させて形成された第１の粘着面と、
前記側面において、前記非粘着面と対応する部分の少なくとも一部に形成された第２の粘着面と、
を備えた、小動物捕獲器。
【請求項２】
前記側面は、前記底面に対して揺動可能である、請求項１に記載の小動物捕獲器。
【請求項３】
前記第２の粘着面は、側面に形成されており、前記第１の粘着面よりも前記侵入口側に延びている、請求項１又は２に記載の小動物捕獲器。
【請求項４】
少なくとも一方端が開口する筒状に折り曲げ可能なシート状の本体であって、底面、及び前記底面に対して折り曲げ可能に接続された側面を有する本体と、
前記底面において、前記少なくとも一方端との間に非粘着面を介在させて形成された第1の粘着面と、
前記側面において、前記非粘着面と対応する部分の少なくとも一部に形成された第２の粘着面と、
を備えた、小動物捕獲器。
【発明の詳細な説明】
【技術分野】
【０００１】
本発明は、小動物を捕獲するための小動物捕獲器、特には鼠を捕獲するための捕獲器に関するものである。
【背景技術】
【０００２】
鼠や、イタチなどの小動物を捕獲するための捕獲器として、例えば、特許文献１に開示された構成が知られている。この小動物捕獲器は、筒体１の中央内壁に粘着面２を形成しており、筒体１の開放端、すなわち両入口近傍の内壁には粘着面を形成していない。通常、小動物は筒体内に入ることに警戒心を有しているため、筒体の入口近傍に粘着面があればその警戒心を増大させて捕獲率が低下してしまう。これに対して、上述した構成によれば、筒体１の両入口近傍の内壁面に粘着面を形成していないことで筒体１に対する警戒心を解いて、粘着面２に小動物を誘導することができる。
【先行技術文献】
【特許文献】
【０００３】
【特許文献１】実用新案登録第３０９５２８０号公報
【発明の概要】
【発明が解決しようとする課題】
【０００４】
しかしながら、上述したような小動物捕獲器であっても、小動物、特に鼠は、前足の力よりも後ろ足の力の方が強いため、前足が粘着面に接触して違和感を覚えたときに、粘着面に付着していない後ろ足を使って後ずさりをし、最終的には前足を粘着面から引き離して小動物捕獲器から逃げ出してしまうという問題があった。そこで、本発明は、確実に鼠などの小動物を捕獲することのできる小動物捕獲器を提供することを課題とする。
【課題を解決するための手段】
【０００５】
本発明に係る第１の小動物捕獲器は、鼠やイタチなどの小動物を捕獲するための捕獲器であって、底面、及び前記底面から延びる側面を有するとともに、前記小動物の侵入口が形成された本体と、前記底面において、前記侵入口との間に非粘着面を介在させて形成された第１の粘着面と、前記側面において、前記非粘着面と対応する部分の少なくとも一部に形成された第２の粘着面と、を備えている。
【０００６】
この小動物捕獲器によれば、底面に形成された第１の粘着面が侵入口との間に非粘着面を介在させているため、小動物は捕獲器内部の第１の粘着面へと誘導される。そして、第１の粘着面に前足が粘着した際、通常、小動物は前足を第１の粘着面から引き離そうと後ろ足を使って暴れながら捕獲器内を後ずさりする。ここで、非粘着面の側方、すなわち、側面における非粘着面に対応する部分には第２の粘着面が形成されているため、小動物の後ろ足や体が第２の粘着面に粘着して捕獲器から小動物が逃亡することを確実に防止することができる。
【０００７】
上記小動物捕獲器は種々の構成をとることができるが、例えば、小動物が上述したように捕獲器内から後ずさりしようと暴れた際に、小動物に第２の粘着面が確実に接触するように、側面が底面に対して揺動可能な構成とすることができる。
【０００８】
また、第２の粘着面は、側面に形成されており、第１の粘着面よりも侵入口側に延びているような構成とすることもできる。
【０００９】
また、本発明に係る第２の小動物捕獲器は、少なくとも一方端が開口する筒状に折り曲げ可能なシート状の本体であって、底面、及び前記底面に対して折り曲げ可能に接続された側面を有する本体と、前記底面において、前記少なくとも一方端との間に非粘着面を介在させて形成された第1の粘着面と、前記側面において、前記非粘着面と対応する部分の少なくとも一部に形成された第２の粘着面と、を備えている。
【００１０】
この小動物捕獲器によれば、本体を折り曲げて筒状に形成することができる。そして、筒状に形成したものは、上述した第１の小動物捕獲器と同様に、小動物が捕獲器から逃亡することを確実に防止することができる。
【発明の効果】
【００１１】
本発明に係る小動物捕獲器によれば、確実に鼠などの小動物を捕獲することができる。
【図面の簡単な説明】
【００１２】
【図１】図１は本発明の一実施形態に係る小動物捕獲器の斜視図である。
【図２】図２は図１の小動物捕獲器を折り畳んだ状態を示す斜視図である。
【図３】図３は図１の小動物捕獲器の展開図である。
【図４】図４は図１の小動物捕獲器を広げた状態を示す平面図である。
【図５】図５は図４の小動物捕獲器の一部を折り畳んだ状態を示す平面図である。
【図６】図６は図１の小動物捕獲器の組み立て途中の状態を示す斜視図である。
【図７】図７は本発明の別の実施形態に係る小動物捕獲器の展開図である。
【図８】図８は比較例１に係る小動物捕獲器の展開図である。
【図９】図９は比較例２に係る小動物捕獲器の展開図である。
【図１０】図１０は図８の小動物捕獲器によるネズミの後ずさりを観察した写真である。
【発明を実施するための形態】
【００１３】
以下、本発明に係る小動物捕獲器の実施形態について図面を参照しつつ説明する。なお、以下では、小動物として鼠を例に挙げて説明する。また図中の一点鎖線は折り曲げ線を示している。
【００１４】
図１に示すように、小動物捕獲器１は、本体２と、本体２の内壁に形成された第１の粘着面３及び第２の粘着面４とを主な構成とするものである。
【００１５】
本体２は、底面２１と、底面２１から上方に延びる側面２２ａ、２２ｂと、底面２１の上方に位置する上面２３とから構成されており、長さ方向の両端部が開口した筒体として構成されている。そして、この開口した部分が鼠の侵入口２４となっている。なお、本体２は、使用時は図１に示すように組み立てられているが、販売時や保管時などの未使用時には図２に示すように折り畳まれた状態となっている。
【００１６】
図３は、小動物捕獲器１の展開図である。この図３に示すように、本体２は、一枚のシートから構成されており、図３の左から、側面２２ａ、底面２１、側面２２ｂ、上面２３の順で４つに分けられている。そして、底面２１と各側面２２ａ、２２ｂとの境界や側面２２ｂと上面２３との境界には谷折り可能な折り曲げ線が形成されているとともに、左端に位置する側面２２ａには係合片２２１が設けられ、右端に位置する上面２３には係合片２２１を挿入できる係合穴２３１が設けられている。このため、各折り曲げ線に沿って折り曲げるとともに、係合突起２２１を係合穴２３１に差し込むことで、本体２は、図１に示すような筒体となってその状態を保持することができる。
【００１７】
また、底面２１、側面２２ａ、２２ｂ、及び上面２３の各侵入口２４側の両端部には、折り曲げ片２５が形成されている。このように折り曲げ片２５が形成されていることで以下のような効果を得ることができる。すなわち、小動物捕獲器１は、未使用時は図２に示すように折り畳まれた状態となっているが、この状態のとき折り曲げ片２５同士が接触していることによって、後述する粘着面同士が接触してしまうことを防止することができる。なお、この各折り曲げ片２５は、図４に示すように、常時、内側に折り曲がった状態となっている。
【００１８】
また、さらには、底面２１の長さ方向中央部及び側面２２ｂの長さ方向中央部には、スペーサ２６が設置されている。このスペーサ２６は、好ましくは約2〜10ｍｍ程度の厚みを有している。このようにスペーサ２６を設置することで、図５に示すように側面２２ａを底面２１と重なるように折り曲げたときに、側面２２ａの粘着面が形成されていない部分がスペーサ２６と接触し、粘着面同士が接触することを防止することができる。同様に、上面２３を側面２２ｂと重なるように折り曲げたときには、上面２３の粘着面が形成されていない部分がスペーサ２６と接触し、粘着面同士が接触することを防止することができる。
【００１９】
なお、本体２の材質は、特に限定されるものではないが、例えば、耐水紙やコートボール紙等の紙，ポリプロピレン等のプラスチック，木材，金属などを例示することができる。また、本体２のサイズは、特に限定されるものではないが、例えばドブネズミを対象にした場合は、長さを15〜30ｃｍ、侵入口２４の幅を6〜12ｃｍ、侵入口２４の高さを6〜18ｃｍとすることが好ましい。
【００２０】
図３に示すように、第１の粘着面３は、本体２の底面２１に粘着剤が塗布されることによって形成されている。第１の粘着面３は底面２１の長さ方向中央部に形成されており、各侵入口２４の近傍には第１の粘着面３は形成されておらず、代わりに非粘着面５が形成されている。この非粘着面５は、第１の粘着面３上に非粘着性のもの（例えば不織布、セロハン）を貼着することによって形成してもよいし、そもそもこの部分に粘着剤を塗布しないことによって形成していてもよい。なお、第１の粘着面３の長さは、13〜28cm程度とすることが好ましく、また、非粘着面５の長さは、1〜10cm程度とすることが好ましく、さらには４〜７cm程度とすることがより好ましい。
【００２１】
第２の粘着面４は、第１の粘着面３と同様に各側面２２ａ，２２ｂに粘着剤を塗布することによって形成されている。この第２の粘着面４は、長さ方向において第１の粘着面３よりも長い、すなわち、第１の粘着面３よりも各侵入口２４側に長く延びた状態で形成されている。このため、各側面２２ａ、２２ｂにおいて、非粘着面５と対応する部分にも第２の粘着面４が形成されている。なお、図３の破線で囲った部分が各側面２２ａ、２２ｂにおける「非粘着面５と対応する部分」である。後ずさりを防止するには各側面２２ａ、２２ｂにおける非粘着面５と対応する部分の粘着剤の長さは、1〜10cm程度とすることが好ましく、さらには４〜７cm程度とすることがより好ましい。
【００２２】
また、第３の粘着面６が、上記第１及び第２の粘着面３、４と同様に、粘着剤を上面２３に塗布することによって形成されている。この第３の粘着面６は、第２の粘着面４と同様の長さであり、第１の粘着面３よりも各侵入口２４側に長く延びた状態で形成されている。このため、上面２３において、非粘着面５と対応する部分にも第３の粘着面６が形成されている。
【００２３】
上述した各粘着面３，４、６を形成する粘着剤としては、特に限定されるものではないが、例えばゴム系粘着剤、アクリル系粘着剤、シリコーン系粘着剤、ウレタン系粘着剤などを例示することができる。
【００２４】
次に、上述した小動物捕獲器１を使用して鼠を捕獲する方法について説明する。
【００２５】
まず始めに未使用時の小動物捕獲器１について説明すると、未使用時における小動物捕獲器１は、図２に示す折り畳まれた状態を維持している。この折り畳まれた状態は、図４に示す広げられた状態から、側面２２ａ及び上面２３を折り曲げ線に沿って、内側に谷折りして、図５に示す状態とする。なお、この状態において、各スペーサ２６が側面２２ａの第２の粘着面４が形成されていない部分及び上面２３の第３の粘着面６が形成されていない部分に接触しているとともに、折り曲げ片２５同士が接触しているため、粘着面同士が接触しないような状態となっている。そして、この図５の状態からさらに真ん中の折り曲げ線に沿って谷折りし、図２に示すような折り畳まれた状態となる。この状態では、各粘着面３，４，６が内側を向いて外部から保護された状態となっている。
【００２６】
次に使用時の小動物捕獲器１について説明すると、上述した折り畳まれた状態の小動物捕獲器１から図４に示す広げられた状態とする。そして、底面２１に対して各側面２２ａ、２２ｂを折り曲げ線に沿って折り曲げ（図６）、上面２３を側面２２ｂに対して折り曲げて、側面２２ａに形成された係合片２２１を、上面２３に形成された係合穴２３１に差し込んで完成する（図１）。
【００２７】
このようにして組み立てられた小動物捕獲器１を、鼠が出現しそうな場所（例えばキッチン、屋根裏、納屋、ビニールハウス等）に設置する。なお、鼠をおびき寄せるために、捕獲器１内にヒマワリの種、きなこ、ゴマ等の誘引剤を配置することが好ましい。
【００２８】
小動物捕獲器１内の誘引剤や捕獲器内部の暗がりに誘き寄せられた鼠は、警戒しながら侵入口２４から捕獲器１内に侵入する。底面２１において、侵入口２４の近傍には非粘着面５が形成されているため、鼠はそのまま捕獲器１内部へと前進し、体の大半が捕獲器１内に侵入した状態となる。そして、さらに鼠が捕獲器１内部を先に進むと、前足が第１の粘着面３と粘着する。このように前足が第１の粘着面３と粘着すると、鼠は警戒心を強めて前足を第１の粘着面３から引き離そうと暴れ始める。このとき、鼠は非粘着面５上に載っているが、この非粘着面５の側方、すなわち、側面２２ａ、２２ｂにおける非粘着面５に対応する部分には第２の粘着面４が形成されているために、鼠の体、特に後ろ足が第２の粘着面４に接触する。これにより、鼠は体の自由が奪われて、捕獲器１から逃げることができない状態となる。なお、鼠が暴れたときに、捕獲器１の形状が崩れて、上面２３にある第３の粘着面６なども鼠に粘着することもある。このように、本実施形態に係る小動物捕獲器１は、鼠を確実に捕獲することができる。
【００２９】
以上、本発明の実施形態について説明したが、本発明はこれらに限定されるものではなく、本発明の趣旨を逸脱しない限りにおいて種々の変更が可能である。
【００３０】
例えば、上記実施形態では、本体２は組み立て式として構成されているが、特にこれに限定されるものではなく、非組み立て式のもの、つまりは、本体２が始めから筒状に形成されているものとして構成することもできる。
【００３１】
また、上記実施形態においては、本体２は四角柱状として説明したが、特に本体２の形状は限定されるものではなく、例えば、他の多角柱状に形成したり、円筒状に形成したりすることもできる。なお、三角柱状であってもよいが、鼠などの小動物を捕獲した際に本体２の側面２２ａ，２２ｂが倒れて鼠に接触しやすいように、四角柱状もしくは４角以上の多角柱状とすることが好ましい。
【００３２】
また、本実施形態では、第２の粘着面４に関して、非粘着面５と対応する部分で鼠を捕らえることをその狙いとしているため、図７に示すように、各側面２２ａ、２２ｂにおける第１の粘着面３と対応する部分には第２の粘着面４を形成していなくてもよい。また、さらに言うのであれば、第２の粘着面４は、側面２２ａ、２２ｂのどちらか一方だけに形成されていてもよいし、上面２３に第３の粘着面６が形成されていなくてもよい。
【００３３】
また、上記実施形態では、本体２の側面２２ａ、底面２１，側面２２ｂ、及び上面２３にわたって粘着面３，４，６が一体的に形成されているが、第１の粘着面３、第２の粘着面４、第３の粘着面６が別々に形成されていてもよい。
【００３４】
また、上記実施形態では、上面２３が閉鎖されていたが、この上面２３を開口した状態とすることもできる。従来は、底面に形成された粘着面によって鼠を捕まえる構造となっていたため、埃などが付着して粘着力が弱くなることを防止すべく、上面は閉鎖された状態にすることが通常であった。しかし、本実施形態では、主に側面２２ａ、２２ｂに形成された第２の粘着面４によって鼠を捕まえる構造であるため、上面２３を開口させても特に問題が生じることはない。また、このように上面２３を開口することで、鼠の警戒心を薄めることができるという効果を奏する。
【実施例】
【００３５】
以下に実施例及び比較例を示して、本発明をさらに具体的に説明する。なお、本発明は、下記実施例に限定されるものではない。
【００３６】
実施例１〜４として非粘着面５の長さが異なる図１〜６に示すような小動物捕獲器１を作製した。なお、非粘着面５として不織布を設置し、実施例１の非粘着面５の長さは４．０cmとし、実施例２は５．０cm、実施例３は７．０cm、実施例４は２．５cmとした。また、比較例１として非粘着面５を有さない小動物捕獲器１０、すなわち、非粘着面５の部分にも第１の粘着面３が延びている小動物捕獲器１０を作製した（図８参照）。またさらには、比較例２として、非粘着面５が、底面２１だけでなく側面２２ａ、２２bや上面２３にも形成されている、つまりは非粘着面５に対応する部分に第２の粘着面４が形成されていない小動物捕獲器１００を作製した（図９参照）。なお、比較例２における非粘着面５の長さは５．０cmとした。
【００３７】
各小動物捕獲容器１，１０，１００の大きさは同じであり、長さが２１．４cm、底面２１の幅が８．２cm、侵入口２４の最も低い部分の高さが７．４cmとした。第２及び第３の粘着面４，６の長さは１８．０cmとし、第1の粘着面３の長さは、１８．０cmから２つ分の非粘着面５の長さを引いた値となる。また、本体２の材質は、耐水紙であり、第１〜第３の粘着面３、４、６を形成する粘着剤としてはポリブテンを主体とするゴム系粘着剤を使用した。
【００３８】
以上の５種類の小動物捕獲器を使用して、捕獲器内に侵入したドブネズミが後ずさりして捕獲器から逃げることを防止できるか否か（後ずさり防止）、また、捕獲したドブネズミを１時間後にまだ捕獲しているか否か（１時間後捕獲）についての実験を３回ずつ行い（実施例３及び４のみ２回）、その結果を表１に示した。なお、表１における「後ずさり防止」の項目における「○」は、後ずさりを防止できたことを意味し「×」は後ずさりして逃げられたことを意味する。また、「１時間後捕獲」の項目における「○」は１時間後にまだドブネズミを捕獲していたことを意味し、「×」は１時間後にドブネズミが捕獲器から逃げていたことを意味する。
【００３９】
【表１】
0005679764.tif 000002
【００４０】
表１の結果より、実施例１〜３の小動物捕獲器１では、鼠が後ずさりして捕獲器から逃げ出すことを比較例１及び２の捕獲器１０、１００よりも有効に防止することができ、さらには、１時間後であっても確実に鼠を捕獲していることが分かった。また、いずれも走り抜けられるはなかった。非粘着面５の長さが２．５ｃｍ以上であれば、ネズミの後ずさりを防止することができ、非粘着面５の長さが４．０ｃｍ以上であれば、１時間後であっても確実に鼠を捕獲できることが分かった。なお、比較例１の捕獲器においてドブネズミが後ずさりして逃げ出した様子を示す写真を図１０に示した。
【符号の説明】
【００４１】
１    小動物捕獲器
２    本体
２１  底面
２２ａ，２２ｂ  側面
２３  上面
２４  侵入口
３    第１の粘着面
４    第２の粘着面
５    非粘着面
【図１】
0005679764.tif 000003
【図２】
0005679764.tif 000004
【図３】
0005679764.tif 000005
【図４】
0005679764.tif 000006
【図５】
0005679764.tif 000007
【図６】
0005679764.tif 000008
【図７】
0005679764.tif 000009
【図８】
0005679764.tif 000010
【図９】
0005679764.tif 000011
【図１０】
0005679764.tif 000012